(57)【特許請求の範囲】
【請求項１】
粉末状物質(10)用の棒形状の吸入器(1)であって、
（ａ）前記吸入器の中心軸(x-x)に沿って延びかつ上端に開口部(3')を具備する吸入空気ダクト(12)を内部に設けた口金部(3)と、
（ｂ）前記口金部(3)の下端に接続された円筒状のケース(2)と、
（ｃ）粉末状物質(10)を貯蔵するために前記ケース(2)内に設けられた貯蔵室(11)と、
（ｄ）粉末状物質(10)を前記貯蔵室(11)から汲み取り前記吸入空気ダクト(12)内へ運ぶために、前記貯蔵室(11)と前記吸入空気ダクト(12)との間で中心軸(x-x)上を所定のストロークで移動可能な心棒(25)と、
（ｅ）前記貯蔵室(11)にて一定量の粉末状物質(10)を充填されその一定量の粉末状物質(10)を前記吸入空気ダクト(12)内の供与位置(U)へ運びかつ前記吸入空気ダクト(12)内に放出させるために、中心軸(x-x)に垂直な横孔として前記心棒(25)の下端近傍に設けられた計量室(26)と、
（ｆ）前記計量室(26)の供与位置(U)である、前記心棒(25)における所定のストロークの上端位置を規定するために前記口金部(3)の内側に設けられた限定ストッパ(36)と、
（ｇ）前記口金部(3)を覆うコップ状であって下端にねじを具備し、前記ケース(2)の上端のねじに対し取り付け取り外し可能な閉止キャップ(4)と、
（ｈ）前記閉止キャップ(4)の上端内面から突き出して設けられ、前記心棒(25)の頭部(30,31)に対し結合開放可能な係合手段(29,32)と、
（ｉ）前記口金部(3)が前記閉止キャップ(4)の回転に伴って回転するように、該閉止キャップ(4)の内面と該口金部(3)の外面とを噛み合わせる手段(45,46)と、
（ｊ）前記口金部(3)の内側に設けられた回転部(22)であって、前記閉止キャップ(4)の回転に伴って回転するために該口金部(3)と摩擦係合する手段(43)を有するとともに、前記心棒(25)を中心軸(x-x)方向に案内しかつ該心棒(25)を該口金部(3)と共に回転させるべく該心棒(25)と係合する案内手段(34)を有する該回転部(22)と、を備え、
（ｋ）前記閉止キャップ(4)が前記ケース(2)にねじ込まれているときは前記係合手段(29,32)が前記心棒(25)と結合しており、
（ｌ）前記閉止キャップ(4)のねじを緩めるとき、前記心棒(25)は、前記係合手段(29,32)を介して該閉止キャップ(4)とともに中心軸(x-x)に沿って持ち上げられると同時に、前記口金部(3)及び前記回転部(22)を介して該閉止キャップ(4)とともに回転可能であり、かつ、
（ｍ）前記心棒(25)が所定のストロークの上端位置に到達して前記限定ストッパ(36)により制止されることにより、該係合手段(29,32)が過負荷により該心棒(25)から開放されて該閉止キャップ(4)が取り外されることを特徴とする吸入器。
【請求項２】
前記回転部(22)が、前記貯蔵部のカバーを形成する床(23)と、前記口金部(3)の内側に配置される壺形壁(35)とを有し、該壺型壁(35)の外側には前記摩擦係合する手段(43)が形成され、該壺型壁(35)の内側には中心軸(x-x)方向の案内溝として前記案内手段(34)が形成されており、
前記心棒(25)から横方向に突出する羽根(33)が、前記案内溝と係合することを特徴とする請求項１に記載の吸入器。
【請求項３】
前記回転部(22)の床(23)の中央に前記心棒(25)を案内する案内開口部(24)が貫通しており、該案内開口部(24)を内張りして該心棒(25)との間の気密性を保持するためにゴム弾性材料から構成される気密ブッシュ(56)を設けたことを特徴とする請求項２に記載の吸入器。
【請求項４】
前記心棒(25)の下端部に刃先状の尖った先端を形成したことを特徴とする請求項２に記載の吸入器。
【発明の詳細な説明】
【技術分野】
【０００１】
本発明は、口金部に導かれる吸入空気ダクト、物質用貯蔵室、および一定の物質量を貯蔵室から供与位置の吸入空気へ分離するため直線的に移動する計量室から構成される、粉末状物質、特に薬剤物質の吸入器に関するものである。
【背景技術】
【０００２】
この種の吸入器は特許文献１によって既知である。投与すべき物質量は、下側に向かって漏斗状の貯蔵室内で外側に移動することができる計量室に与えられる。搬送体は、直線的に移動することができるスライダである。口金部のダクト内に設けられる計量室の後側の空間は、ピストン／シリンダ装置に貯蔵されている空気量に結合する。吸入を実施すると、吸入空気流の空気容積は突然開放され自由になる。機械的に流れを強化する吸入ストロークが計量室を空にする。負圧によって開放される圧力空気の排出には相当に複雑な構造を必要とし、突然に発生する空気衝撃に対し殆どの患者は、少なくとも相当に慣れる必要がある。
【特許文献１】独国公開特許４０２７３９１号公報
【発明の開示】
【発明が解決しようとする課題】
【０００３】
本発明の課題は、対象とする吸入器を構造的に簡単な方法で、外部の空気の添加を不要とし、しかも再現性のある部分量を完全に投与できるように構成することである。
【課題を解決するための手段】
【０００４】
この課題は、先ず本質的に請求項１の特徴を有する吸入器によって解決され、計量室の延長方向の吸入空気流の成分で計量室を空にすることに重点を置く。
【０００５】
このような構成により、構造的に簡単で動作の確実な吸入器が得られる。使用者による吸入は計量室が問題なく空になる充分な供与負圧を提供する。供与領域には流れの成分が存在し、特に排出に効果的である。直線的に移動する計量室は、粉末状物質の汲み出し動作を行ない、供与位置に達すると再び元に戻ることのないように貯蔵領域からの粉末状物質を分離する。従来の技術においては、不均一な量をもたらすことのある粉末状物質源の後方、すなわち進入する外部空気流にスクリーンを取り付けることによってこれを防止するように努力した。
【０００６】
さらに、計量室を、閉止キャップに関連して移動することができる心棒の横孔として形成することを提案する。供与位置は、閉止キャップを閉止および開放する普通の操作により、簡単にいわば自動的に達成される。
心棒を貫通する横孔は、その両側から粉末状物質が排出できることが好ましい。特に効果的な対策は、円錐形の横孔によって生ずる。貯蔵室から分離された物質は、吸入空気流の成分によって、円錐形の横孔の広い端部から素早く供与される。計量室の延びる方向に導かれる空気流の成分を得るため、計量室が吸入空気流の流れる空気通路に配置されることが重要である。こうすることによって、局部的な負圧範囲が得られる。
計量室の両側の開放端が、それぞれ空気通路に対向すると好都合である。円錐形の横孔の場合、計量室の大きい方の内法直径端がそれよりも小さな直径の空気通路に対向するように配置され、小さい方の内法直径端がそれよりも大きな直径の空気通路に対向するように配置されるとさらに好都合である。広い方の端部から高い負圧によって優先的に排出され、さらに対応してその方向に広がる計量室の壁により摩擦による阻害は生じない。
本発明はさらに、空気通路を、心棒を案内する壷形の回転部に形成し、口金部の周囲壁からの流入空気と流体的に結合させることを提案する。対応する流入空気の空気入り口は、吸入器の周囲壁側に、使用者の唇または吸入器の棒状体を手で握ることによって閉じられないように配置する。さらに閉じられる危険を低減するため、多くの互いに距離を置いた空気入り口を設ける。粉末状物質を吸入空気流に良好に分配するため、空気通路を、口金部の近い方に設けられる空気入り口と軸方向にずらして配置する。こうすることによって最初に反対向きの流路が得られる。
さらに好都合に、壷形の床を持つ回転部が貯蔵室のカバーを形成し、その中央に、貯蔵室内に潜行するスライダとして機能する心棒の案内開口部が設けられる。壷形の床は２つの機能を備える。間接的または直接的なカバーの機能及び心棒の案内の機能である。
さらに潜行方向の端部がねじ回しの刃先状に尖った心棒は、半径方向の羽根によって回転部に回転結合されることが有利である。一方では、形成されたナイフ状の刃先が、心棒が粉末の貯蔵室に潜入すると同時に中心部の効果的な回転ばらし効果を助長し、他方では、心棒の、回転部による好ましい支持が得られ、さらに計量室に対する空気通路の位置決めが維持される。
必要な心棒および回転部の相互の相対的直線移動は、壷形の回転部の壷形壁に羽根を案内する軸方向の案内溝を設ける簡単な方法で達成される。この解決策により、計量室の基底壁区間が、供与位置となる排出準備位置を規定するとともに、口金部により規定される心棒の引っ張り限界ストッパが形成される。
閉止キャップに関連する心棒の支持は、さらに口金部側に設けられた過負荷時に開放される心棒および閉止キャップ間の結合位置によって形成される。吸入器を再び閉じる場合は、心棒および閉止キャップ間の新しい結合が生ずる。
特徴的な構造は、回転部が固定子の付随する回転子を備え、回転部の戻り回転によって計量室に粉末状物質を汲み込むように作用する翼効果を具体化したことである。これによって粉末状物質の補充および計量室の粉末の密度を一定に保つことができる。さらに周囲にある粉末粒子の塊を排除するばらし効果がある。戻り回転とは、閉止キャップのねじを緩め、それに伴なう計量室への粉末状物質の充填作用を意味する。詳しく言えば、回転子は、回転部の床の円板を始点とする支持板に取り付けられた回転子ブレードによって形成される。回転子ブレードは、ランセットまたは鎌形の輪郭を有する。これは、直径上に互い対向する２つの回転子ブレードとして形成される。具体的には、回転子ブレードは半径方向に心棒の中心に向かう面を備えて貯蔵室の円形断面のほぼ１／４の区間に広がり、その面に対してほぼ直角なブレード面が心棒に対して隙間を残して円周方向に設けられる。これによって押し潰し作用を生じる場所が排除される。例えば心棒に付着した薬剤物質がこすり落とされることはない。それに加えて、心棒の中心に向かう２つの面は共通な直径上に配置される。
さらに構造的な特徴は、回転子が固定子の下側に噛み合い、固定子は貯蔵室の内壁から半径方向に内側に突き出して、回転子の回転軌道内に自由端が達する突起として形成され、翼効果があるが薬剤を傷めないよう構成されていることである。固定子は台形の輪郭を有し、その根元は貯蔵室の内壁に固定される。回転軌道は、軸方向において、回転部の円板の下面側およびそれに対向する回転子ブレードの上面側によって制約される。さらに固定子の輪郭は、２つの回転子ブレードの間に残された１／４の区間内とする配置上好都合な構成とする。これによって充分な組立てスペースが得られる。
回転部の案内開口部が、心棒を取囲む気密ブッシュから構成される円筒状の区間から構成されると、気密および案内上有利である。これはゴムまたはゴムに類似した材料である。粉末状の物質は、気密ブッシュによって心棒の軸から除去される。これにより、供与すべき粉体状物質の計量に誤りを生じない。同様に、気密に関する対策が、貯蔵室の内壁と回転部との間に予圧を与えて取り付けた気密リングによって与えられる。ここでもゴムまたはゴム状の材料が使用される。それに加えて、両方の部品のリング状溝に対して気密リングが合わせて嵌め込まれ、回転部に設けられるリング状溝はＶ字形の谷形溝として構成し、それと同じ高さに設けられる貯蔵室のリング状溝は半円形に形成する。谷形溝は回転部の回転案内として機能する。
最後に、閉止キュップをねじキャップとして形成し、閉止キャップと口金部の同時回転手段によって閉止キャップが口金部と共同作用することを提案する。同時回転手段は爪形結合に類似したもので、ねじが開放されると閉止キャップと口金部の結合が分離される。
【発明の効果】
【０００７】
簡単な構造で外部の空気の添加を不要とし、再現性のある部分量を投与できる吸入器が得られる。
【発明を実施するための最良の形態】
【０００８】
本発明の構成を、以下の図面に示される実施例によって詳細に説明する。
【０００９】
本発明を、以下の図面に示される実施例によって詳細に説明する。
図１〜図４に示した吸入器１は、容易に持運びすることができる短棒形状のポケット器具として形成される。形状は、段付けのある円筒状のケース２によって決定される。
【００１０】
小形円筒状のケース２は、吸入器１の頭部側に設けられた口金部３と接続される。口金部３は口当たりが良く、コップ状の閉止キャッブ４が保護するように口金部３を覆っている。
【００１１】
閉止キャップ４は、ねじ込みキャップとして形成される。その内ねじ５は、ケース２の外壁の外ねじ６と噛み合う。口金部３の装着部において、閉止キャップ４にはクリップ７が形成される。
【００１２】
コップ状の閉止キャップ４の脚側の端面は、上述の円筒状のケース２における段付けされたリング状の肩部８に気密を保持して突き当たる。
【００１３】
図１に示すように、ねじ結合部５、６の軸方向のねじストロークは、閉止キャップ４が同時に操作ハンドル９として粉末状物質１０から再現可能な部分量１０’を取り出すように動作するために利用される。ケース２の貯蔵室１１の粉末状物質１０は、必要な場合は再充填することができる。部分量１０’を貯蔵室１１の外部にある供与位置Ｕに供給するための計量装置全体を符号Ｄにより示す。
【００１４】
計量すべき材料は、薬剤の粉末状物質１０で、例えば基本的物質（乳糖）の特性を持ち、微細な薬剤粉末がその表面に付着して、搬送体として作用する吸入空気流により搬送できるものである。
【００１５】
計量装置Ｄの後方に、正確に分離された粉末状物質１０の部分量１０’を供与位置Ｕで残らず放出するため、使用者が吸入空気流Ｓを発生させるいわゆる拡散領域が配置される。口金開口部３’に導かれる吸入空気ダクトに符号１２を付す。
【００１６】
貯蔵室１１の下側の隔壁に、壷形の圧力床１３が形成される。圧力床は、圧縮ばね１４の荷重を受けて口金部３の方向を向く。圧縮ばね１４の脚側の巻き端は、ケース２を閉じる床キャップ１５に支えられる。床キャップは断面を広げた係合カラー１６の区間でケース２に噛み合い係合される。対応する係合カラー１６はケース２のリング溝に噛み合う。
【００１７】
与圧を受けた圧縮ばね１４の頭部側の巻き端は、ピストン状の部材１３、１８の中空ピストン１８の内側肩部１７に荷重を加える。
【００１８】
段を付けた壺形の圧力床１３は、内側肩部１７に係合接続される。
【００１９】
圧力床１３の壷の縁にリング舌状体１９が設けられ、ゴム弾性材料であることにより、貯蔵室１１の壁上を、粉末状物質１０の損失を生ずることなく滑動する。
【００２０】
床キャップ１５の中央に短軸２０が延び出している。これは中空であり、中空ピストン１８とともに圧縮ばね１４のばね室２１を形成する。
【００２１】
貯蔵室１１における口金部３側の開口部は、壷形の回転部２２によって閉じられる。これは、ケース２を覆う貯蔵室１１のカバー２３の壷形床によって形成される。
【００２２】
カバー２３の中央に案内開口部２４が残される。これは間接的または直接的に、計量装置Ｄの重要部品としての心棒２５の案内開口部２４を形成する。心棒２５は、適切な構成により、貯蔵室に潜行するスライダとして、汲み上げるべき部分量１０’用の直線的に移動する計量室２６の動作を実現する。貯蔵室に潜行するスライダは、ほぼ回転対称に構成された吸入器１の縦方向中心軸ｘ−ｘ（図５参照）に沿って移動する。
【００２３】
心棒２５は、口金開口部３’と反対側の端部に、ねじ回しの刃先状の尖った先端２７を形成される。これは粉末状物質１０の貯蔵室１１内で、心棒２５とともに回転して中央の範囲をばらばらにする作用を備えている。実質的に尖った屋根状の刃先２７は、２つの鏡面対称の斜めの面を持ち根元側で心棒２５の円筒状の軸に接続される。斜めの面は約６０度の角度をなす。心棒２５の円筒状の基本断面は刃先２７の範囲で維持される（図７参照）。直線的に移動する計量室２６のストロークにおいて、心棒２５の両方の末端位置で、上記の案内開口部２４の全長にわたってドクタブレードまたは削り取り作用によって、計量室２６を充填しながら案内開口部２４の断面が閉じられるように考慮される。
【００２４】
閉止キャップ４の口金部３側の端部に、過負荷の場合に開放される結合位置２８が心棒２５と閉止キャップ４の間に形成される。閉止キャップ４側の係合手段は、ばね作用を持つ鉤形のリングである。鉤形のリングにおける舌状のばねの内側に向いた突起２９は、心棒２５の細い腰状のリング溝３０と噛み合う。上側に向ってリング溝３０は係合頭部３１に連続する。突起２９は、両方向に係合頭部３１を乗り越えることができる。係合頭部３１を形成する材料の塊は、ほぼレンズ形となる。
【００２５】
突起２９またはその舌状のばねは、口金開口部３’に突き出す短円筒３２の先端に形成され、閉止キャップ４のカバー内面から突き出している。短円筒３２は閉止キャップ４に固定されている。
【００２６】
心棒２５はスポーク状に形成された半径方向の羽根３３によって回転部２２に回転結合される。羽根３３はその自由端区間が、吸入空気ダクト１２を横切り、軸方向に延びる回転部２２の案内溝３４と噛み合う。案内溝３４は３個で充分である。等角度に配分された案内溝３４は、壷形の回転部２２における壷形壁３５の内側に設けられる。さらに軸方向の案内溝３４は、心棒２５の貯蔵室１１の充填面からカバー２３の上側の供与位置Ｕまでの、粉体状物質１０を汲み込むための潜行ストロークが保証される長さとする。
【００２７】
規定された計量室２６の排出可能位置（供与位置Ｕ）は、口金部３に設けられた心棒２５の限界ストッパによって与えられる。限界ストッパは、口金部３の内側に張り出した壁の端面３６であり、案内溝３４の出口を塞いでいる。
【００２８】
口金部３は、ケース２の首部に固定された周囲壁３７によって形成される。この部分に両方の部品２、３の間の係合位置３８が形成される。これは非可逆的な係合位置３８である。さらに明らかなように、回転部２２のカバー２３はリング状の肩部３９によって覆うように固定される。
【００２９】
計量室２６は、縦方向の中心軸ｘ−ｘに対しほぼ垂直に伸びる横方向の孔として形成される。排出可能位置（供与位置Ｕ）に移動すると、計量室２６は中央の吸入空気流Ｓの作動領域に位置する。計量室２６は、吸入空気ダクト１２に接続される空気通路４０の位置に配置される。空気通路４０は、回転部２２の壷形壁３５に形成される。空気通路４０は、吸入空気ダクト１２の半径方向に延びる孔である。この孔は、壷型の回転部２２の床に近い部分の、カバー２３の上面かまたはその直ぐ上側から延びる。
【００３０】
明らかなように計量室２６の両側の開放端は、空気通路４０に対し吸入空気ダクト１２の半径方向の距離を置いて対向する（図４参照）。これに関連して、計量室２６の円錐状の横孔の大きい方の内法直径の端部にそれより小さい直径の空気通路４０が配置され、計量室２６の円錐状の横孔の小さい方の内法直径の端部にそれより大きい直径の空気通路４０が配置される。これによって小さい直径の空気通路４０の後側に、供給された部分量１０’に対する非常に強い排出効果を持つ高い負圧が発生する。それにも拘わらず計量室２６からの排出は、両側端部から行なわれる。
【００３１】
心棒２５を気密に案内する壷形状の回転部２２に形成される空気通路４０は、背面のリング状空間４１を介して半径方向に距離を置いて空気入り口４２に流体的に連通される。空気入り口４２も孔として形成され大気に連通する。上記のリング状空間４１は壷形状の回転部２２における壷形壁３５の外側と口金部３の周囲壁３７との間に設けられる。
【００３２】
明らかなように空気通路４０は、空気入り口４２に対して軸方向にずらして配置される。空気入り口４２は、口金部３に近い方に設けられる。説明した空間的な距離の位置により、最初反対方向に吸入される空気が、主たる吸入空気流Ｓに合流する。これにより実際に計量室２６の延びる方向の吸入空気流Ｓの成分が形成され、計量室２６が完全に空になる。使用者はその都度正確な分量を吸入する。供与位置Ｕは計量室２６の基底区間に設定される。
【００３３】
対応した放出のため、粉末状物質１０の汲み取り位置における特別な準備方法が開発された。具体的には、粉末状物質における望ましい組織の均一性、すなわち、粉末状物質がばらばらな周辺から計量室２６への均一な詰め込みを確実にする条件が達成された。このために、回転部２２を改善した方法で利用する。回転部２２は、貯蔵室１１の上部の範囲で動作する回転子Ｒを備えている（図５〜図７参照）。これに対し、固定子Ｓｔが配置される。回転子Ｒの回転を利用して塊をばらばらにすると同時に、回転子Ｒの戻り回転時の翼効果によって計量室２６内に粉体状物質を汲み取る。すなわち閉止キャップ４を緩める場合に、それを操作ハンドル９として利用する（図１及び図３参照）。閉止キャップ４の回転に対応する同伴効果は心棒２５に与えられ、心棒２５は羽根３３によって半径方向に回転部２２に固定されている。計量室２６の軸心が空気通路４０に対して変位することはない。勿論口金部３の周囲壁３７は形状的な結合手段によって回転するように閉止キャップ４に固定される。一般に、回転部２２の固定は、例えばリング状空間４１の口金部方向端部を閉じるリングフランジ４３の摩擦による結合で充分である。リングフランジ４３は、回転部２２の壷形壁３５の周囲壁から突き出し、その縁は口金部３の周囲壁３７の内側に接触する（図１参照）。
【００３４】
図１および図４から明らかなように、口金部３およびねじで取り外す閉止キャップ４の間の同時回転は，両者間の爪形結合によって行われる。爪形結合部４４は口金部３の周囲壁３７の長い歯４５により構成され、長い歯は対応する閉止キャップ４３の内側の歯型凹部４６と噛み合う。
【００３５】
翼の形成は２つの回転子ブレード４７による。これは基本的に鎌状の輪郭を備えている。両方の回転子ブレード４７は、吸入器１の縦方向の中心軸ｘ−ｘに関して直径的に対向して設けられる。回転子ブレード４７は中心から離れて軸方向に延びる支持板４８により保持される。支持板４８は回転部２２のアームまたは円板４９の下側に結合される（図５及び図７参照）。
【００３６】
回転部２２の床またはカバー２３から貯蔵室１１側に突き出した自立した回転子ブレード４７は、周方向に充分に離れて直径上の対向位置に配置される。幾何学的には貯蔵室１１の円形断面のほぼ１／４の区間を占める。これは図６に示される。両方の回転子ブレード４７は、半径方向に心棒２５の中心に向かう面５０、およびそれと直角に形成されるブレード面５１を備えている。ブレード面５１は心棒２５の周囲壁に対し隙間５２を残した距離に延びる。従ってすりつぶし効果は回避される。面５０は直径上にあることは明らかである。面５０の共通の直径を図６においてｙ―ｙで示す。空間的に平行なブレード面５１は直径ｙ−ｙに対し垂直で、空気通路４０の孔の軸心と一致する計量室２６の横孔軸ｚ―ｚに対しても空間的に平行である。
【００３７】
回転子ブレード４７が結合される円板４９または２本のアームは、回転部２２のカバー２３のリング状の壁５３から突き出している（図５及び図７参照）。
【００３８】
図５において特に明瞭に、回転子Ｒが固定子Ｓｔの下側に噛み合い、固定子Ｓｔは貯蔵室１１の内壁から半径方向内側に突き出して、回転子Ｒの回転軌道５４内に自由に達する突起として形成されていることが分かる。回転軌道５４は、軸方向において、回転部２２の円板４９の下面と、相対する回転子ブレード４７の上面とにより制限されていることが分かる。回転軌道５４を形成する軸方向の間隔は、この方向に測定した突起である固定子Ｓｔの厚さよりも著しく大きい。従って、摩擦に敏感な投与すべき粉末状物質１０に対して機械的な負荷を与えることはない。
【００３９】
固定子Ｓｔは台形の輪郭を備えている（図６参照）。その円弧状の基礎部は貯蔵室１１の内壁に結合される。固定子Ｓｔは、基礎部から半径方向の内側に向って面積的に細くなり、輪郭的に２つの回転子ブレード４７の間に残る１／４区間の間の中間空間５５より小さくなるように寸法を決める。図６から分かるように、これは回転軌道５４内での、固定子Ｓｔの固定用の十分な組立て開口を提供する。
【００４０】
固定子Ｓｔの半径方向の内側への突き出しは、台形の山頂面が同様に支持板４８の外側と隙間を持って終わるような半径方向の長さとする。
【００４１】
回転子Ｒによる翼効果は、図６における矢印に着目することにより明らかである。矢印ａは回転子Ｒの戻り回転方向（閉止キャップ４を緩める場合の回転方向）を示す。ブレード面５１はその前にある粉末を押し出す面として作用する。矢印ｂは大きい内法直径の備えた計量室２６の端部に関する概略の押し出し方向を示す。矢印ｃは別の回転子ブレード４７の対応する効果を示し、これもブレード面５１の翼効果に関するものである。固定子Ｓｔはこの場合、同時に回転軌道５４の通路における位置が固定された邪魔板となる。粉末状物質１０は、固定子Ｓｔにおける操作作用をもつ台形面の近くにある回転子Ｒにおけるブレード面５１によって素早く計量室２６を充填するよう移動し、既に説明したように常に同じ充填条件が得られる。計量室２６は壷形回転部２２のカバー２３の上側の供与位置Ｕに到達するまで、計量装置Ｄの領域を通過して上昇しながら数回にわたって回転する。
【００４２】
掻き落とし作用を持つ案内開口部２４によって、計量の誤りを与える心棒２５の周囲に付着する粉末状物質１０を持ち込むことはない（図５参照）。案内開口部２４は回転部２２に直接形成せず、貫通部を内張りする気密ブッシュ５６により形成する。気密ブッシュ５６はゴム弾性材料から構成され、カバー２３に係合手段５７によって嵌め込み保持される。気密ブッシュ５６の高さは円板４９の上面の位置まで達する。
【００４３】
また粉末状物質１０の紛失をもたらす半径方向の外側に達する抜け出し孔は無く、回転部２２および貯蔵室１１を形成するケース２の間は同じように気密要素が設けられる。これは貯蔵室１１の内壁および回転部２２の間に設けられたゴム弾性材料の気密リング５８により達成される。上記の気密リング５８は予圧を与えて取り付けられる。気密リング５８は、ケース２および回転部２２の両方の部品におけるリング状の溝に合わせてはめ込まれる。回転部２２に設けられるリング状溝には符号５９を付ける。これはＶ字形の谷形溝として形成される。リング状の壁５３の範囲にあるリング状溝５９の開放角度は約９０度である。溝の輪郭は中心対称で回転案内作用を有する。別の同じ高さのリング状溝６０がケース２の内側、すなわち貯蔵室１１の上側入り口範囲に設けられる。この周囲を取巻くリング状溝６０の断面は半円形である。組立を容易にするため、リング状溝６０の前面を回転対称の導入傾斜部６１とする。
【００４４】
持ち上げ心棒として形成した心棒２５は、計量室２６の容積に応じて変更することができ、すなわち計量装置Ｄの主要部品のみを、別の部分量１０’の正確な再現性のある計量を行なうため交換する。
【００４５】
ピストン状の作用をする圧力床１３は、シリンダ空間に対する移動において、ケース２のリング状舌状体１９の背部に空気バランス開口部６２が設けられているので、ケース２の中央区間で能力が損なわれることは無い。
【００４６】
壷形の圧力床１３は、中央に貯蔵室１１の反対方向の凹部を有している。この凹部は、回転子ブレード４７の基本位置において、軸方向に下側に突出する心棒２５の端部区間が収容される深さである。
【００４７】
開示されたすべての特徴は本発明に対し基本的なものである。従って、対応する／添付の優先書類（事前出願のコピー）の開示もまたすべて本出願の開示内に含まれるものであり、その目的のためこれらの書類の特徴もこの出願の請求事項に含まれるものである。
【産業上の利用可能性】
【００４８】
吸入器として利用できる。
【図面の簡単な説明】
【００４９】
【図１】本発明による、閉止キャップを閉じた基本位置における吸入器の拡大した側面図である。
【図２】その俯瞰図である。
【図３】吸入器の側面図である。
【図４】閉止キャップを取り、計量室が排出可能位置(供与位置)にある、図１のような吸入器の断面図である。
【図５】中間位置にある心棒の図１の拡大図で、計量室は固定子の高さに延びている。
【図６】図５の線ＶＩ−ＶＩの断面図である。
【図７】回転子および固定子を備えた回転部の詳細および固定子の俯瞰図で、心棒下端の刃物状の形状を示す。
【図８】吸入器を構成する部品の分解配列図で、すべての部品は縦方向断面、心棒は部分的断面である。
【符号の説明】
【００５０】
１  吸入器
２  ケース
３  口金部
４  閉止キャップ
５  内ねじ
６  外ねじ
７  クリップ
９  操作ハンドル
１０  粉末状物質
１１  貯蔵室
１２  吸入空気ダクト
１３  圧力床
１４  圧縮ばね
１５  床キャップ
１７  内側肩部
１８  中空ピストン
１９  リング舌状体
２２  回転部
２３  カバー（床）
２４  案内開口部
２５  心棒
２６  計量室
２７  刃先
２８  係合位置
２９  突起
３０  リング溝
３１  係合頭部
３２  短円筒
３３  羽根
３４  案内溝
３５  壺形壁
３６  端面
３７  周囲壁
３８  係合位置
４０  空気通路
４１  リング状空間
４２  空気入り口
４３  リングフランジ
４４  爪形係合部
４５  歯
４６  歯型凹部
４７  回転子ブレード
４８  支持板
４９  円板
５０  中心に向かう面
５１  ブレード面
５３  壁
５４  回転軌道
５５  中間空間
５６  気密ブッシュ
５７  係合手段
５８  気密リング
６０  リング状溝
６１  導入傾斜部
Ｄ  計量装置
Ｒ  回転子
Ｓｔ  固定子
【図１】
0004425976.tif 000002
【図２】
0004425976.tif 000003
【図３】
0004425976.tif 000004
【図４】
0004425976.tif 000005
【図５】
0004425976.tif 000006
【図６】
0004425976.tif 000007
【図７】
0004425976.tif 000008
【図８】
0004425976.tif 000009